(57)【要約】      （修正有）【課題】簡単な構造で、床を広範囲に照らすのに好適なスタンド式にしたり、天井を広範囲に照らすのに好適な直接床置き式にしたりすることのできる照明器具を提供する。【解決手段】照明器具１は、器具本体１０と、器具本体１０に保持された照明ランプ１１と、器具本体１０の底部に設けられたスタンド取付用の取付具１２と、器具本体１０の天部に設けられた床置用ベース部材１３とを備える。【選択図】図１
0003224264.tif 000002
【実用新案登録請求の範囲】
【請求項１】
スタンド式および床置き式の両方に対応可能な照明器具であって、
器具本体と、
前記器具本体に保持された照明ランプと、
前記器具本体の底部に設けられたスタンド取付用の取付具と、
前記器具本体の天部に設けられた床置用ベース部材とを備える、照明器具。
【請求項２】
前記床置き用ベース部材は、前記器具本体の天地を逆にした状態で使用されるものであり、ベース板と、このベース板上に突出して設けられた複数の脚ゴムとを備える、請求項１に記載の照明器具。
【請求項３】
前記照明ランプは棒状の形態で複数あり、
前記複数の照明ランプの各々は、その一端が前記器具本体に回動可能に連結され、その他端が自由端となっており、
前記複数の照明ランプは、前記器具本体の周りを円周状に取り囲んで鉛直に位置する折畳状態と、前記器具本体から水平に放射状に広がる展開状態との間を位置変更可能に設けられており、
前記ベース板は、円形であり、
前記折り畳み状態にある複数の照明ランプの外接円の直径をｄとすると、前記円形のベース板の直径Ｄは１．３ｄ以上である、請求項２に記載の照明器具。
【請求項４】
前記複数の照明ランプは、前記器具本体の底部側に位置する一端が前記器具本体に回動可能に連結され、前記器具本体の天部側に位置する他端が自由端となっている、請求項３に記載の照明器具。
【請求項５】
前記ベース部材は、前記ベース板を前記器具本体に締結固定するための締結具を備え、
前記締結具の前記ベース部材上での突出高さをＨとすると、前記脚ゴムの前記ベース部材上での突出高さは１．３Ｈ以上である、請求項２〜４のいずれかに記載の照明器具。
【考案の詳細な説明】
【技術分野】
【０００１】
この考案は、照明器具に関するものであり、特にスタンド式および床置き式の両方に対応可能な照明器具に関するものである。
【背景技術】
【０００２】
暗所において電気工事や建築作業等を行う場合に、作業箇所を明るくするために照明器具が使用される。作業箇所は、高所位置にあったり、低所位置にあったりする。そのような高さの変化に対応するために、照明器具本体を下から支える三脚のようなスタンドが使用されることが多い。
【０００３】
例えば、特開２００７−１３４１７５号公報（特許文献１）、特開２００８−１３０４１５号公報（特許文献２）、実用新案登録第３０８５９７１号公報（特許文献３）には、高さ調節可能なスタンドによって照明器具を支持する構造が開示されている。
【先行技術文献】
【特許文献】
【０００４】
【特許文献１】特開２００７−１３４１７５号公報
【特許文献２】特開２００８−１３０４１５号公報
【特許文献３】実用新案登録第３０８５９７１号公報
【考案の概要】
【考案が解決しようとする課題】
【０００５】
照明器具の照明ランプは、典型的には水平方向または下方に向けて光を照射する。スタンド式照明器具の場合、スタンドの高さを調整することによって高所または低所を効果的に照射できる。さらに、照明ランプの取付角度を調整可能にすれば、高所および低所だけでなく、広い角度範囲に亘って作業箇所を照射することができる。
【０００６】
作業者は床上で作業することもあれば、天井の作業をすることもある。一般的なスタンド式照明器具は、床を広範囲に照らすのに適しているが、天井を広範囲に照らすのには不向きである。照明ランプの取付角度を３６０度可変とすれば、床面および天井を広範囲に照らすことは可能になるかもしれないが、照明器具の形状や構造がやや複雑になってしまう。
【０００７】
本考案の目的は、簡単な構造で、床を広範囲に照らすのに好適なスタンド式にしたり、天井を広範囲に照らすのに好適な直接床置き式にしたりすることのできる照明器具を提供することである。
【課題を解決するための手段】
【０００８】
本考案に従った照明器具は、スタンド式および床置き式の両方に対応可能なものであって、器具本体と、器具本体に保持された照明ランプと、器具本体の底部に設けられたスタンド取付用の取付具と、器具本体の天部に設けられた床置用ベース部材とを備える。
【０００９】
好ましくは、床置き用ベース部材は、器具本体の天地を逆にした状態で使用されるものであり、ベース板と、このベース板上に突出して設けられた複数の脚ゴムとを備える。
【００１０】
一つの実施形態では、照明ランプは棒状の形態で複数ある。複数の照明ランプの各々は、その一端が器具本体に回動可能に連結され、その他端が自由端となっている。複数の照明ランプは、器具本体の周りを円周状に取り囲んで鉛直に位置する折畳状態と、器具本体から水平に放射状に広がる展開状態との間を位置変更可能に設けられている。ベース板は、円形である。照明器具の天地を逆にして照明器具を安定して自立させるために、折り畳み状態にある複数の照明ランプの外接円の直径をｄとすると、前記円形のベース板の直径Ｄを１．３ｄ以上にするのが好ましい。
【００１１】
好ましい実施形態において、複数の照明ランプは、器具本体の底部側に位置する一端が器具本体に回動可能に連結され、器具本体の天部側に位置する他端が自由端となっている。
【００１２】
一つの実施形態では、ベース部材は、ベース板を器具本体に締結固定するための締結具を備える。天地を逆にした照明器具本体を脚ゴムによって安定して自立させるために、好ましくは、締結具のベース部材上での突出高さをＨとすると、脚ゴムのベース部材上での突出高さを１．３Ｈ以上にするのが好ましい。
【考案の効果】
【００１３】
本考案によれば、照明器具の天地を逆にするだけで、床を広範囲に照らすのに好適なスタンド式にしたり、天井を広範囲に照らすのに好適な直接床置き式にしたりすることができる。
【図面の簡単な説明】
【００１４】
【図１】本考案の一実施形態に係る照明器具が三脚によって下方から支持されている状態を示す図であり、複数の照明ランプが折畳状態になっている。
【図２】図１に示す状態から、複数の照明ランプの取付角度が変化している状態を示す図である。
【図３】図１に示す状態から、複数の照明ランプが水平方向に展開している状態を示す図である。
【図４】照明ランプと器具本体との連結構造を示す図である。
【図５】器具本体に取り付けられた床置き用ベース部材を示す図である。
【図６】照明器具を三脚スタンドから取り外した状態を示す図である。
【図７】折畳状態にある複数の照明ランプの外接円の直径と円形のベース板の直径とを比較するための図である。
【図８】照明器具の天地を逆にしてベース部材を介して照明器具を床上に自立させている状態を示す図であり、複数の照明ランプが折畳状態になっている。
【図９】図８に示す状態から、複数の照明ランプの取付角度が変化している状態を示す図である。
【図１０】図８に示す状態から、複数の照明ランプが水方向に展開している状態を示す図である。
【考案を実施するための形態】
【００１５】
図１〜図３は、本考案の一実施形態に係る照明器具がスタンド式で使用されている状態、すなわち照明器具１が三脚スタンド２によって高所位置に支持されている状態を示している。図１は照明ランプ１１が折りたたまれている状態を示し、図３は照明ランプ１１が水平に展開されている状態を示し、図２はその途中段階の状態を示している。
【００１６】
図８〜図１０は、照明器具１が床置き式で使用されている状態、すなわち照明器具１が床上に直接置かれて使用されている状態を示している。図８は照明ランプ１１が折りたたまれている状態を示し、図１０は照明ランプ１１が水平に展開されている状態を示し、図９はその途中段階の状態を示している。
【００１７】
照明器具１は、全体の形態が縦方向に長い器具本体１０と、器具本体１０に保持された複数の照明ランプ１１と、器具本体１０の底部に設けられたスタンド取付用の取付具１２と、器具本体１０の天部に設けられた床置用ベース部材１３とを備える。
【００１８】
図示した実施形態では、スタンド取付用の取付具１２は鉛直方向に長いロッドであり、三脚スタンド２の中央パイプ内に嵌め入れて固定される。ロッドの形態の取付具１２は、三脚スタンド２の中央パイプ内に脱着可能に挿入されており、三脚スタンド２からの上方突出長さが調節可能になっている。
【００１９】
各照明ランプ１１は、例えば内部にＬＥＤのような発光源を有する扁平な棒状の形態であり、その一端、図示した形態ではその下方端が器具本体１０に回動可能に連結されている。各照明ランプ１１の他端、図示した形態ではその上方端が自由端となっている。
【００２０】
複数の照明ランプ１１は、器具本体１０の中央棒材１０ａの周りを円周状に取り囲んで鉛直に位置する折畳状態（図１に示す状態）と、器具本体１０の中央棒材１０ａから水平に放射状に広がる展開状態（図３に示す状態）と、その途中の任意の角度位置にある状態（図２に示す状態）とをとり得るように構成されている。
【００２１】
図４は、照明ランプ１１と器具本体１０との連結構造を示している。照明器具１は、照明ランプ１１を鉛直折畳状態から水平展開状態に至るまでの任意の角度で固定するための傾斜角度調整機構を備える。具体的には、傾斜角度調整機構は、中央固定具１９と、連結部材１７と、ガイド溝１８と、スライド部材２０とを備える。
【００２２】
スライド部材２０は、器具本体１０の中央棒材１０ａに沿ってスライド移動可能である。各照明ランプ１１の一端（下方端）はスライド部材２０に回動可能に連結されている。図示するように、各照明ランプ１１の裏面には、縦方向に長いガイド溝１８が形成されており、各連結部材１７の先端がガイド溝１８に沿って移動可能で、かつ任意の位置で固定可能になっている。各連結部材１７の基端は、中央棒材１０ａの上方部分に固定された中央固定具１９に回動可能に連結されている。
【００２３】
照明ランプ１１が図１に示す鉛直折畳状態にあるときには、スライド部材２０は中央棒材１０ａ上で最下方の位置にある。この状態から、各照明ランプ１１を水平に向かって傾斜させてゆくと、各照明ランプ１１の傾斜動作に連動してスライド部材２０は中央棒材１０ａに沿って上方へ移動する。照明ランプ１１が図３に示す水平展開状態にあるときには、スライド部材２０は中央棒材１０ａ上で最上方の位置にある。
【００２４】
照明ランプ１１が図１に示す鉛直折畳状態にあるとき、照明ランプ１１は、水平方向で放射状に光を照射する。照明ランプ１１が図２に示す傾斜状態にあるとき、照明ランプ１１は、床に向かって斜め下方に光を照射する。照明ランプ１１が図３に示す水平展開状態にあるとき、照明ランプ１１は、床に向かって鉛直下方に光を照射する。作業場所が床上や、床に近い位置である場合には、照明器具１を図１〜図３に示すようなスタンド式で使用するのが好ましい。
【００２５】
照明器具１は、上方での作業、例えば天井での作業にも好適に使用可能である。そのために、照明器具１は、器具本体１０の天部に床置き用ベース部材１３を備える。図４および図５に示すように、床置き用ベース部材１３は、ベース板１４と、このベース板上に突出して設けられた複数の脚ゴム１５を備える。ベース板１４は例えば円形であり、締結ボルト１６を介して器具本体１０の上端部に固定して取り付けられている。複数の脚ゴム１５は弾性ゴムからなり、床面との間で高い摩擦力を発揮してすべり止めの機能を果たす。図示した実施形態では、円形のベース板１４の中心に位置する締結ボルト１６を囲む円に沿って等間隔に４個設けられている。
【００２６】
照明器具１を直接床置き式で使用する場合には、図６に示すようにまず照明器具１を三脚スタンド２から取り外す。そして、照明器具１の天地を逆にして、ベース部材１３を床上に置く。
【００２７】
照明器具１の床上の自立を安定させるために、図７に示すように、折畳状態にある複数の照明ランプ１１の外接円の直径をｄとすると、円形のベース板１４の直径Ｄを１．３ｄ以上にするのが好ましい。より好ましくは、１．４ｄ以上にするのがよい。さらに、弾性的な脚ゴム１５が圧縮変形することを考慮して、締結ボルト１６のベース板１４上での突出高さをＨとすると、脚ゴム１５のベース板１４上での突出高さを１．３Ｈ以上、より好ましくは１．５以上にするのがよい。
【００２８】
図８〜図１０は、照明器具１を直接床置き式で使用している状態を示している。図８に示すように照明ランプ１１が鉛直折畳状態にあるとき、照明ランプ１１は、水平方向で放射状に光を照射する。照明ランプ１１が図９に示す傾斜状態にあるとき、照明ランプ１１は、天井に向かって斜め上方に光を照射する。照明ランプ１１が図１０に示す水平展開状態にあるとき、照明ランプ１１は、天井に向かって鉛直上方に光を照射する。作業場所が天井や、天井に近い位置である場合には、照明器具１を図８〜図１０に示すような床置き式で使用するのが好ましい。
【００２９】
図面を参照して本考案の実施形態を説明したが、図示した構造及び形態は例示的なものである。本考案の思想と実質的に同一の範囲内で、或いは均等の範囲内で、種々の構造及び形態の変更が可能である。
【産業上の利用可能性】
【００３０】
本考案は、スタンド式および床置き式の両方に対応できる照明器具として有利に利用され得る。
【符号の説明】
【００３１】
１  照明器具、２  三脚スタンド、１０  器具本体、１１  照明ランプ、１２  スタンド取付用取付具、１３  床置き用ベース部材、１４  ベース板、１５  脚ゴム、１６  締結ボルト、１７  連結部材、１８  ガイド溝、１９  中央固定具、２０  スライド部材。
【図１】
0003224264.tif 000003
【図２】
0003224264.tif 000004
【図３】
0003224264.tif 000005
【図４】
0003224264.tif 000006
【図５】
0003224264.tif 000007
【図６】
0003224264.tif 000008
【図７】
0003224264.tif 000009
【図８】
0003224264.tif 000010
【図９】
0003224264.tif 000011
【図１０】
0003224264.tif 000012